(57)【要約】      （修正有）【課題】あらかじめ設定されている変換候補文字列の他に、蓄積されていく個々のユーザ情報を変換候補列として利用し、出力することにより、文字入力の煩わしさや時間の短縮を図る。【解決手段】辞書部と、入力受付部と、変換候補保持部と、変換候補出力部と、選択受付部と、変換結果出力部と、条件保持部と、前変換確定が条件保持部が有する条件を満たす場合に辞書部以外の情報ソースが所有する情報を変換候補に追加する変換候補追加部と、を有する文字入力装置。【選択図】図１
2009129205.tif 000002
【特許請求の範囲】
【請求項１】
辞書部と、
ユーザーから文字変換のために入力を受付ける入力受付部と、
出力すべき変換候補を辞書部から取得して保持する変換候補保持部と、
入力又は前変換確定に応じて変換候補を出力する変換候補出力部と、
出力された変換候補の中から変換確定の選択を受付ける選択受付部と、
受付けた選択に応じて変換結果を出力する変換結果出力部と、
追加変換候補を変換候補保持部に追加するため前変換確定が満たすべき条件を保持する条件保持部と、
前変換確定が前記条件を満たす場合に、辞書部以外の情報ソースから文字列を追加変換候補として変換候補保持部に追加する変換候補追加部と、
を有する文字入力装置。
【請求項２】
請求項１に記載の文字入力装置を備えた電子機器であって、
時間又は時刻を示す文字列情報を出力可能な時計部を有し、
前記文字入力装置の変換候補追加部は、時計部から時間又は時刻を示す文字列を追加変換候補として変換候補保持部に追加する時計手段を有する電子機器。
【請求項３】
請求項１に記載の文字入力装置を備えた電子機器であって、
位置を示す文字列情報を出力可能な位置情報取得部を有し、
前記文字入力装置の変換候補追加部は、位置情報取得部から位置を示す文字列を追加変換候補として変換候補保持部に追加する位置手段を有する電子機器。
【請求項４】
請求項１に記載の文字入力装置を備えた電子機器であって、
スケジュールを示す文字列情報を出力可能なスケジュール部を有し、
前記文字入力装置の変換候補追加部は、スケジュール部からスケジュールを示す文字列を追加変換候補として変換候補保持部に追加するスケジュール手段を有する電子機器。
【請求項５】
請求項１に記載の文字入力装置を備えた電子機器であって、
番組に関する文字列情報を出力可能なテレビラジオ番組管理部を有し、
前記文字入力装置の変換候補追加部は、テレビラジオ番組管理部からテレビ番組又は／及びラジオ番組に関する文字列を追加変換候補として変換候補保持部に追加するテレビラジオ手段を有する電子機器。
【請求項６】
請求項１に記載の文字入力装置を備えた電子機器であって、
音楽や映画などのＡＶコンテンツに関する文字列情報を出力可能なＡＶコンテンツ再生機能に付随したＡＶコンテンツ管理部を有し、
前記文字入力装置の変換候補追加部は、ＡＶコンテンツ管理部からＡＶコンテンツに関する文字列を追加変換候補として変換候補保持部に追加するＡＶコンテンツ手段を有する電子機器。
【請求項７】
請求項１に記載の文字入力装置を備えた電子機器であって、
通信相手のアドレス情報を示す文字列情報を出力可能な通信機能に付随したアドレス情報管理部を有し、
前記文字入力装置の変換候補追加部は、アドレス情報管理部からアドレス情報を示す文字列を追加変換候補として変換候補保持部に追加するアドレス手段を有する電子機器。
【請求項８】
通話機能を有する請求項２から７のいずれか一に記載の電子機器。
【請求項９】
辞書部を有する文字入力装置であって、
ユーザーから文字変換のために入力を受付ける入力受付ステップと、
出力すべき変換候補を辞書部から取得して保持する変換候補保持ステップと、
入力又は前変換確定に応じて変換候補を出力する変換候補出力ステップと、
出力された変換候補の中から変換確定の選択を受付ける選択受付ステップと、
受付けた選択に応じて変換結果を出力する変換結果出力ステップと、
前変換確定が前記条件を満たす場合に、辞書部以外の情報ソースから文字列を追加変換候補として変換候補保持ステップに追加する変換候補追加ステップと、
を有する文字入力装置の動作方法。
【発明の詳細な説明】
【技術分野】
【０００１】
文字入力において、入力した文字に対して予測される一般的な変換候補に加え、各ユーザ固有の情報を変換候補に追加する文字入力装置及び該文字入力装置を備えた電子機器に関する。
【背景技術】
【０００２】
近年、電子メールはコミュニケーションツールとして最も多く使用される手段の一つとなっている。文字の入力手段としては、ＰＣ等であればキーボートで、携帯端末であればダイヤルキーなどを利用している。特に、携帯端末においては、小型化などの理由から備えられるキー数が限定されているため、文章作成が煩雑であり、また時間もかかっていた。この問題を解決するため、現在多くの文字入力装置には、入力した文字に続く文字候補を予測して表示する機能が備わっている。そして該候補の中から所定の文字を選択した場合、該文字が作成中の文章に反映されるように構成されている。
【発明の開示】
【発明が解決しようとする課題】
【０００３】
しかしながら、予測される文字候補は、入力した文字に対して一般的に次に続くであろうと予測される文字がほとんどで、それらはユーザにとって必ずしも満足できるものではなかった。有用性のある文字候補を予測できるようにしようとする場合、メモリを多く使用する必要があり、携帯端末などメモリ容量が限られている電子機器においては困難であった。
【０００４】
また、携帯端末において文字入力する場合、もともと備わっているキー数が少ないため、漢字モードや片仮名モード、数字モード、アルファベットモードなどを選択してからそれらの文字を入力する必要があり、これが文字入力の煩わしさを増大させていた。
【特許文献１】特開２００４−２７２５０２
【特許文献２】特開２００６−１２７００２
【課題を解決するための手段】
【０００５】
そこで、本発明においては、辞書部と、ユーザーから文字変換のために入力を受付ける入力受付部と、出力すべき変換候補を辞書部から取得して保持する変換候補保持部と、入力又は前変換確定に応じて変換候補を出力する変換候補出力部と、出力された変換候補の中から変換確定の選択を受付ける選択受付部と、受付けた選択に応じて変換結果を出力する変換結果出力部と、追加変換候補を変換候補保持部に追加するため前変換確定が満たすべき条件を保持する条件保持部と、前変換確定が前記条件を満たす場合に、辞書部以外の情報ソースから文字列を追加変換候補として変換候補保持部に追加する変換候補追加部と、を有する文字入力装置を提案する。また、該文字入力装置を備えた電子機器を提案する。なお、電子機器は、時計部や位置情報取得部、スケジュール部、テレビラジオ番組管理部、ＡＶコンテンツ管理部、アドレス情報管理部など有していてもよい。更には、通話機能を有する電子機器であってもよい。
【０００６】
すなわち、本件発明の文字入力装置においては、時計やスケジュール帳はもちろんGPSやワンセグ、音楽、動画再生などさまざまな情報をそれぞれ特定のフォーマットのリストに格納し、ユーザーが入力した文字列に対して、リストに格納されている情報を変換候補文字列に連携させたり、候補のリストを切り替えたりする点が特徴である。
【発明の効果】
【０００７】
本件発明の文字入力装置においては、あらかじめ設定されている変換候補文字列の他に、蓄積されていく個々のユーザ情報を変換候補列として、利用し、出力することができる。これにより、文字入力の煩わしさや時間の短縮が可能となる。
【発明を実施するための最良の形態】
【０００８】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は請求項１、９などに関する。実施形態２は請求項２、８、９などに関する。実施形態３は請求項３、８、９などに関する。実施形態４は請求項４、８、９などに関する。実施形態５は請求項５、８、９などに関する。実施形態６は請求項６、８、９などに関する。実施形態７は請求項７、８、９などに関する。
＜＜実施形態１＞＞
＜実施形態１：概要＞
【０００９】
本実施形態は、ユーザが入力した文字列に対して、該文字列に続く候補文字列を、辞書部以外の情報ソースからも出力する文字入力装置について説明する。
【００１０】
図１は、本実施形態に係る文字入力装置を備えた携帯電話端末（電子機器）の概要図である。まず、ユーザが、「１９時に銀座で食事」という本日のスケジュール情報（０１０２）を携帯電話端末に記録していたとする（場面（ａ））。そして、メールの文章作成にあたって、「きょう」（０１０３）という文字をテンキーを使って入力したとする。すると、通常の変換候補文字列（０１０４）が表示画面に表示される。その中から、「今日は」（０１０５）という文字列を選択する（場面（ｂ））。すると、「今日は」に続く変換候補文字列（０１０４）として、一般的な変換候補文字列の他に、「１０月１日」、「月曜日」など「今日」の日付け情報（０１０１）を利用した文字列や、「１９時」、「銀座」、「食事」など、記録済のスケジュール情報（０１０２）を利用した文字列が表示される。その中からスケジュール情報（０１０２）を利用した文字列「食事」（０１０６）を選択する（場面（ｃ））。すると、「食事」に続く変換候補文字列（０１０４）として、一般的な変換候補文字列の他に、再度「１９時」、「銀座」など、記録済のスケジュール情報（０１０２）を利用した文字列が表示される（場面（ｄ））。
＜実施形態１：構成＞
【００１１】
本実施形態に係る文字入力装置の機能ブロック図を図２に例示する。文字入力装置（０２００）は、「辞書部」（０２０１）と、「入力受付部」（０２０２）と、「変換候補保持部」（０２０３）と、「変換候補出力部」（０２０４）と、「選択受付部」（０２０５）と、「変換結果出力部」（０２０６）と、「条件保持部」（０２０７）と、「変換候補追加部」（０２０８）と、を有する。
【００１２】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。また、映像を処理するための各種のハードウェアが用いられる。（明細書の全体を通じて同様である。）
【００１３】
「辞書部」（０２０１）は、ユーザーが入力するあらゆる文字列に対する、変換文字列又は／及び次に続く可能性のある文字列を保持する機能を有する。つまり、辞書部に保持されている変換候補文字列とは、後述する変換候補保持部に保持され、変換候補出力部にて出力される変換候補の候補となる文字列である。変換候補とは、ユーザーがキー入力した文字を仮名漢字変換等した文字や、入力した文字に続けて入力される可能性の高い文字等のことである。予め設定されているものの他、過去の使用履歴や使用頻度等に基づいた学習機能を備えている場合は、該学習機能に基づいて順次更新される。例えば、キーボードにより、「あした」と入力した場合、単に漢字変換した「明日」の他、「明日は」、「明日から」などが変換候補となる。また、「お」と入力した場合、学習機能により、「お疲れ様です」、「おはようございます」、「お願いします」、などが変換候補として保持されている場合もある。
【００１４】
「入力受付部」（０２０２）は、ユーザーから文字変換のために入力を受付ける機能を有する。文字の入力はキーボードの他、テンキーやジョグダイヤル、十字キーなどを利用する。携帯電話端末においては、発話キー、クリアキー、終話／電源キー、マナーキーなを利用してもよい。なお、携帯端末など、入力キー数が限定されている場合は、文字入力の前に予め、仮名変換又は数字変換、アルファベット変換などを選択するように構成されていてもよい。
【００１５】
「変換候補保持部」（０２０３）は、出力すべき変換候補を辞書部から取得して保持する機能を有する。つまり、辞書部が保持する膨大な文字列の中から、ユーザが入力した文字列に対して適切な変換候補を抽出し、保持する。なお、変換候補は無限に存在する場合もあり、かかる場合は、学習機能により変換候補に優先順位を付けて保持するように構成されていてもよい。
【００１６】
「変換候補出力部」（０２０４）は、入力又は前変換確定に応じて変換候補を出力する機能を有する。入力とは、前記入力受付部が受付けたそのものをいう。学習機能により、使用履歴や使用頻度に基づいて変換候補の出力順を制御すると、操作性、利便性の点で好ましい。
【００１７】
前変換確定とは、前記入力受付部が受付けた入力に対して、変換し確定したものをいう。また、変換せずに入力した文字そのままの態様で確定したものを含む。ここで、確定とは、文字列およびその仮名態様について、作成中の文章に組み込むことを決定することをいう。図３を用いて変換候補出力機能を説明する。ユーザが入力キーを用いて「き」を入力すると、表示画面の下半分に変換候補保持部にて保持され、変換候補出力部にて出力された「き」に対する変換候補が表示される（場面（ａ））。続けて「の」を入力すると、場面（ａ）と同様に「きの」に対する変換候補が表示される（場面（ｂ））。この変換候補の中から「昨日は」を選択し、確定する。すると、「昨日は」が前変換確定となり、該前変換確定に応じた変換候補が出力される（場面（ｃ））。この変換候補の中から「ありがとう」を選択、確定すると、「ありがとう」が次の前変換確定となり、該前変換確定に応じた変換候補が出力される（場面（ｄ））。つまり、文章の作成が終了するまで、この操作が繰り返し行われる。
【００１８】
「選択受付部」（０２０５）は、出力された変換候補の中から変換確定の選択を受付ける機能を有する。変換確定の選択は、例えばキーボードを用いて選択する場合は、確定する文字列が表示された場合にEnterキーを押し、携帯電話端末においては、カーソル位置を確定する文字列に移動させ、特定の十字キーを押す。
【００１９】
「変換結果出力部」（０２０６）は、受付けた選択に応じて変換結果を出力する機能を有する。変換結果は、作成中の文章に組み込まれる。ここで出力された文字列が前変換確定である。
【００２０】
「条件保持部」（０２０７）は、追加変換候補を変換候補保持部に追加するために前変換確定が満たすべき条件を保持する機能を有する。
【００２１】
「変換候補追加部」（０２０８）は、前変換確定が前記条件を満たす場合に、辞書部以外の情報ソースから文字列を追加変換候補として変換候補保持部に追加する機能を有する。
【００２２】
つまり、前変換確定が「条件保持部」（０２０７）に保持された条件を満たす場合、変換候補保持部には、辞書部が保持する変換候補に加えて、「変換候補追加部」（０２０８）により辞書部以外からの情報ソースに基づく文字列を追加変換候補として追加される。
【００２３】
ここで、追加変換候補とは前記辞書部以外の情報ソースが保持する情報に基づく文字列を変換候補として追加したものである。辞書部以外の情報ソースとは、本実施形態の文字入力装置を備えた電子機器等が有する情報ソースであり、例えば、日付、時間などの情報、位置情報、スケジュール情報、テレビラジオ等の関する情報、音楽や動画などの情報、他人のアドレス情報、決済情報、電車やバス等の乗車・降車情報、通話情報などをいう。
【００２４】
前変換確定が満たすべき条件とは、前変換確定が予め設定した特定の文字列であること又は／及び該特定の文字列を含む文字列であることなどをいう。また、予め設定した情報に関連する文字列であることなどをいう。前者の場合において、例えば決済情報ソースに対して、「金額」、「残高」、「入金」などを特定の文字列とする条件を設定していた場合、変換候補保持には、決済情報ソースが保持する情報に基づく文字列が追加変換候補として保持される。その一例を図４（ｂ）に示す。決済情報ソースには、映画館で５，０００円のチケットを購入した情報や、レストランで１万円支払った情報が記録されているとする。この場合に、前変換確定が「金額は」の場合、該前変換確定は前記条件保持部が保持する条件を満たすため、決済情報ソースから文字列が追加変換候補として追加される。つまり、辞書部からの取得した「いくら」、「わかる」、「、」、「？」などの通常の変換候補に加えて、「５，０００円」、「１万円」などの変換候補が追加変換候補として追加される。
【００２５】
後者の場合において、例えば、駅の名称を電車の乗車・降車情報に関連する文字列として設定していた場合、「吉祥寺」など駅名を入力すると乗車・降車情報ソースが保持する情報を追加変換候補として変換候補保持部に追加される。その一例を図４（ｃ）に示す。乗車・降車情報ソースには、新宿から電車に乗り、１７時に吉祥寺で電車を降りた記録があるとする。この場合に、前変換確定が「吉祥寺」の場合、該前変換確定は前記条件保持部が保持する条件を満たすため、乗車・降車情報ソースから文字列が追加変換候補として追加される。例えば、「新宿」、「２０分」、「中央線」、「１７時」などの変換候補が追加変換候補として追加される。
【００２６】
なお、図４（ａ）は、前変換確定が前記条件保持部が保持する条件を満たさない場合の一例である。「あき」という文字列を入力し、「秋」に漢字変換した場合、前変換確定「秋」は、前記条件保持部が保持する条件を満たさないため、変換候補は辞書部からのみ取得、保持され、出力される。
＜実施形態１：ハードウェア上における処理の具体例＞
【００２７】
図５は、文字入力装置のハードウェア構成の一例を示す。以下、図５を用いて文字入力装置におけるハードウェア上の処理動作について説明する。まず、文字入力装置は入出力インタフェース（０５０３）を介して文字入力を受付ける。入力された文字列は表示装置（０５０４）に表示される。また入力された文字列に対する変換候補が、記憶装置（０５０２）の辞書部（０５０１）に記録されている文字列から選択され、表示装置（０５０４）に出力される。操作部（０５０７）を介して、出力された変換候補の中から所望の文字列を選択すると、確定文字列として、表示装置（０５０４）に出力される。なお、メインメモリ（０５０６）において、確定文字列が特定の条件を満たすと判断された場合、外部インタフェース（０５０８）を介して外部の情報ソース（０５０９）の中から、かかる条件に対応した情報がメインメモリ（０５０６）に格納され、変換候補として出力される。
【００２８】
なお、図５を用いて説明したハードウェア上の処理はあくまで処理の概要を説明するものである。
＜実施形態１：処理の流れ＞
【００２９】
図６は本実施形態に係る文字入力装置における処理の流れを示すフロー図を例示する。
【００３０】
最初にキーボード等を介してユーザが文字を入力する（Ｓ０６０１）。すると入力した文字列に対する変換候補が出力される（Ｓ０６０２）。変換候補の中から、所望の候補を選択すると、変換結果が出力される（前変換確定）（Ｓ０６０３）。ここで、前変換確定が特定の条件を満たす文字列であるか判断され（Ｓ０６０４）、満たす場合、辞書部からの変換候補に加えて、辞書部以外の情報が変換候補として追加・出力される（Ｓ０６０５）。前変換確定が特定の条件を満たさない場合、辞書部からの変換候補のみ出力される（Ｓ０６０６）。この変換候補の中から再び所望の候補を選択すると、変換結果が出力される（前変換確定）（Ｓ０６０７）。ここでの前変換確定も特定の条件を満たす文字列であるかどうか判断され、再びステップＳ０６０４からステップＳ０６０７の処理がなされる。前変換確定により一文が完成すると、処理は終了する。
＜実施形態１：効果＞
【００３１】
ユーザが入力した文字に対して、辞書部に保持されている一般的な変換候補に加えて、辞書部以外の情報ソースからも変換候補が出力されるため、各ユーザが所望する候補を迅速に選択できる。
＜＜実施形態２＞＞
＜実施形態２：概要＞
【００３２】
本実施形態は、前記実施形態１の変換候補保持部に、時間や時刻等を示す文字列を追加変換候補として追加することを特徴とする、前記実施形態１の文字入力装置を備えた電子機器について説明する。
＜実施形態２：構成＞
【００３３】
本実施形態にかかる電子機器の機能ブロック図を図７に例示する。電子機器（０７００）は、「文字入力装置」（０７０９）を備え、「時計部」（０７１０）を有する。文字入力装置（０７０９）は、「辞書部」（０７０１）と、「入力受付部」（０７０２）と、「変換候補保持部」（０７０３）と、「変換候補出力部」（０７０４）と、「選択受付部」（０７０５）と、「変換結果出力部」（０７０６）と、「条件保持部」（０７０７）と、「変換候補追加部」（０７０８）と、を有する。また、「変換候補追加部」（０７０８）は、「時計手段」（０７１１）を有する。なお、「時計部」（０７１０）と「時計手段」（０７１１）以外の構成については前述したとおりであるので、ここでの説明は省略する。
【００３４】
「時計部」（０７１０）は、時間又は時刻を示す文字列情報を出力可能な機能を有する。「１６時３０分」や「１６：３０」などの文字列が該当し、秒単位まで出力してもよい。また、「２００７年１１月３日  １６時３０分」など、日付情報を含めてもよい。
【００３５】
「時計手段」（０７１１）は、前記時計部から時間又は時刻を示す文字列を追加変換候補として追加変換保持部（０７０３）に追加する機能を有する。なお、該追加変換候補は、表示装置に表示されている時間や時刻を示す文字列に限定されない。例えば、「１１月３日  １６時３０分」という文字列のみが表示装置に表示されていた場合であっても、追加変換候補に、西暦や曜日に関する文字列、「文化の日」など日や時に関する文字列が追加されるように構成されていてもよい。
【００３６】
なお、前記時計手段が動作するための、条件保持部（０７０７）が保持する前変換確定が満たすべき条件は、日や時に関する文字列であること又はこれらの文字列を含むことである。
【００３７】
時計手段が追加する追加変換候補リストの一例を図８に示す。図８において、文章作成中の現在日時が、２００７年１１月３日（土）、１０時１５分であるとする。この場合、前記条件を満たす前変換結果（０８０１）は多数存在する。例えば、「今日は」、「明日は」、「昨日は」、などや、「先週の金曜日は」、「２週間後は」、「１年前は」なども該当する。そして、「今日は」（０８０２）という前変換結果に対しては、「１１月３日」、「土曜日」、「文化の日」（０８０３）などが追加変換候補となる。
＜実施形態２：ハードウェア上における処理の具体例＞
【００３８】
本実施形態に係る電子機器のハードウェア上の処理は、図５にて説明した処理と同様である。但し、外部インターフェース（０５０８）を介して取得される情報が時計部（０５１０）からの情報を含むことを特徴とする。
＜実施形態２：処理の流れ＞
【００３９】
図９は本実施形態に係る文字入力装置における処理の流れを示すフロー図を例示する。
【００４０】
最初にキーボード等を介してユーザが文字を入力する（Ｓ０９０１）。すると入力した文字列に対する変換候補が出力される（Ｓ０９０２）。変換候補の中から、所望の候補を選択すると、変換結果が出力される（前変換確定）（Ｓ０９０３）。ここで、前変換確定が特定の条件を満たす文字列であるか判断される（Ｓ０９０４）。該条件を満たす文字列である場合、次に該特定の条件が時計部に関するものであるか判断される（Ｓ０９０５）。ここで時計部に関するものである場合、辞書部から取得する変換候補に、時計部が有する情報文字列が追加・出力される（Ｓ０９０６）。時計部に関するものではない場合、辞書部及び時計部以外の情報ソースからの情報文字列が追加・出力される（Ｓ０９０７）。Ｓ０９０４において前変換確定が特定の条件を満たさない場合、辞書部から変換候補が取得され、出力される（Ｓ０９０８）。出力された変換候補の中から所望の候補を選択し、確定する（前変換確定）（Ｓ０９０９）。ここでの前変換確定も特定の条件を満たす文字列であるかどうか判断され、再びステップＳ０９０４からステップＳ０９０９の処理がなされる。前変換確定により一文が完成すると、処理は終了する。
＜実施形態２：効果＞
【００４１】
ユーザーが日や時に関する入力をした場合、それに対応する変換候補を通常の変換候補に追加できるため、文章の作成が容易となる。特に、携帯端末などにおいて、数字を入力する場合、あらかじめ数字モードを選択する必要が有る場合など、その選択操作を省略できる。
＜＜実施形態３＞＞
＜実施形態３：概要＞
【００４２】
本実施形態は、前記実施形態１の変換候補保持部に、位置を示す文字列を追加変換候補として追加することを特徴とする、前記実施形態１の文字入力装置を備えた電子機器について説明する。
＜実施形態３：構成＞
【００４３】
本実施形態にかかる電子機器の機能ブロック図を図１０に例示する。電子機器（１０００）は、「文字入力装置」（１００９）を備え、「位置情報取得部」（１０１０）を有する。文字入力装置（１００９）は、「辞書部」（１００１）と、「入力受付部」（１００２）と、「変換候補保持部」（１００３）と、「変換候補出力部」（１００４）と、「選択受付部」（１００５）と、「変換結果出力部」（１００６）と、「条件保持部」（１００７）と、「変換候補追加部」（１００８）と、を有する。また、「変換候補追加部」（１００８）は、「位置手段」（１０１１）を有する。なお、「位置情報取得部」（１０１０）と「位置手段」（１０１１）以外の構成については前述したとおりであるので、ここでの説明は省略する。
【００４４】
「位置情報取得部」（１０１０）は、位置を示す文字列情報を出力可能な機能を有する。位置情報は、主にＧＰＳ（Global Positioning System）を利用して取得する。ＧＰＳとは、測地衛星の発信する電波を受信して、緯度、経度を特定するシステムである。そしてＧＰＳの測位情報と地図情報からは、現在位置や所望の位置を検索し特定できる。ここで、位置情報とは、本実施形態の電子機器を持って実際に居た場所に関する位置情報の他、建物の名称やお店の名称、電話番号などから検索した場所に関する位置情報などを含む。
【００４５】
「位置手段」（１０１１）は、前記位置情報取得部から位置を示す文字列を追加変換候補として変換候補保持部（１００３）に追加する機能を有する。位置を示す文字列としては、緯度や経度を特定したものや、都道府県名、市町村名などの住所が該当する。また建物の名称、お店の名称などを含むようにしてもよい。
【００４６】
なお、前記位置手段が動作するための、条件保持部（１００７）が保持する前変換確定が満たすべき条件は、位置に関する文字列であること又はこれらの文字列を含むことである。前記条件を満たす前変換確定としては、例えば、「ここは」、「地名は」、「場所は」などが該当する。また、ある一点から他の一点へ移動することを意味する、「旅行は」、「出張先は」などを含めてもよい。更には、過去に場所を検索したことのあるビルの名称「甲ビル」やお店の名称「乙レストラン」などを含むようにしてもよい。
【００４７】
位置手段が変換候補保持部に追加する追加変換候補リストの一例を図１１に示す。「ここは」（１１０２）という前変換確定（１１０１）に対しては、「東京都」、「千代田区」、「有楽町」（１１０３）などが追加変換候補となる。また、「出張は」（１１０４）という前変換確定に対しては、「京都」、「大阪」、「北海道」（１１０５）などが追加変換候補となる。
＜実施形態３：ハードウェア上における処理の具体例＞
【００４８】
本実施形態に係る電子機器のハードウェア上の処理は、図５にて説明した処理と同様である。但し、外部インターフェース（０５０８）を介して取得される情報が位置情報取得部（０５１１）からの情報を含むことを特徴とする。
＜実施形態３：処理の流れ＞
【００４９】
図１２は本実施形態に係る文字入力装置における処理の流れを示すフロー図を例示する。
【００５０】
最初にキーボード等を介してユーザが文字を入力する（Ｓ１２０１）。すると入力した文字列に対する変換候補が出力される（Ｓ１２０２）。変換候補の中から、所望の候補を選択すると、変換結果が出力される（前変換確定）（Ｓ１２０３）。ここで、前変換確定が特定の条件を満たす文字列であるか判断される（Ｓ１２０４）。該条件を満たす文字列である場合、次に該特定の条件が位置情報取得部に関するものであるか判断される（Ｓ１２０５）。ここで位置情報取得部に関するものである場合、辞書部から取得する変換候補に、位置情報取得部が有する情報文字列が追加・出力される（Ｓ１２０６）。位置情報取得部に関するものではない場合、辞書部及び位置情報取得部以外の情報ソースからの情報文字列が追加・出力される（Ｓ１２０７）。Ｓ１２０４において前変換確定が特定の条件を満たさない場合、辞書部から変換候補が取得され、出力される（Ｓ１２０８）。Ｓ１２０６又はＳ１２０７又はＳ１２０８にて出力された変換候補の中から所望の候補を選択し、確定する（前変換確定）（Ｓ１２０９）。ここでの前変換確定も特定の条件を満たす文字列であるかどうか判断され、再びステップＳ１２０４からステップＳ１２０９の処理がなされる。前変換確定により一文が完成すると、処理は終了する。
＜実施形態３：効果＞
【００５１】
ユーザが位置に関する文字列を入力した場合、地名や住所が変換候補として出力されるため、文章の作成が容易となる。特に独特の読み方をする地名や、長い住所の入力が省略できるため、利便性がよい。
＜＜実施形態４＞＞
＜実施形態４：概要＞
【００５２】
本実施形態は、前記実施形態１の変換候補保持部に、スケジュールを示す文字列を追加変換候補として追加することを特徴とする、前記実施形態１の文字入力装置を備えた電子機器について説明する。
＜実施形態４：構成＞
【００５３】
本実施形態にかかる電子機器の機能ブロック図を図１３に例示する。電子機器（１３００）は、「文字入力装置」（１３０９）を備え、「スケジュール部」（１３１０）を有する。文字入力装置（１３０９）は、「辞書部」（１３０１）と、「入力受付部」（１３０２）と、「変換候補保持部」（１３０３）と、「変換候補出力部」（１３０４）と、「選択受付部」（１３０５）と、「変換結果出力部」（１３０６）と、「条件保持部」（１３０７）と、「変換候補追加部」（１３０８）と、を有する。また、「変換候補追加部」（１３０８）は、「スケジュール手段」（１３１１）を有する。なお、「スケジュール部」（１３１０）と「スケジュー手段」（１３１１）以外の構成については前述したとおりであるので、ここでの説明は省略する。
【００５４】
「スケジュール部」（１３１０）は、スケジュールを示す文字列情報を出力可能な機能を有す。該文字列情報は、本実施形態の電子機器に記録されているスケジュールに関する情報である。日にち、時間、用件、場所、相手、などが該当する。図１４にＸＭＬ形式で記録されているスケジュール情報の一例を示す。かかる場合、「１２月１日」のスケジュールを示す情報として、「１０：３０」、「営業会議」、「本社３２０１」、「大阪支店長」、「京都支店長」などの文字列が「スケジュール部」（１３１０）によって出力される。
【００５５】
「スケジュール手段」（１３１１）は、スケジュール部からスケジュールを示す文字列を追加変換候補として変換候補保持部（１３０３）に追加する機能を有する。スケジュールを示す文字列としては、日にち、時間、用件、場所、相手などが該当する。
【００５６】
スケジュール手段を動作するための、条件保持部（１３０７）が保持する前変換確定が満たすべき条件は、スケジュールに関する文字列であること又はこれらの文字列を含むものであること、である。例えば、「予定は」、「今日は」、「旅行は」、「食事は」、などが該当する。
【００５７】
スケジュール手段が変換候補保持部に追加する追加変換候補リストの一例を図１５に示す。「予定は」（１５０２）という前変換確定（１５０１）に対しては、「飲み会」、「食事」、「ドライブ」、「出張」（１５０３）などが追加変換候補となる。また、「明日は」（１５０４）という前変換確定（１５０１）に対しては、「映画」、「１８時」、「銀座」、「山田さん」（１５０５）などが追加変換候補となる。
＜実施形態４：ハードウェア上における処理の具体例＞
【００５８】
本実施形態に係る電子機器のハードウェア上の処理は、図５にて説明した処理と同様である。但し、外部インターフェース（０５０８）を介して取得される情報がスケジュール部（０５１２）を含むことを特徴とする。
＜実施形態４：処理の流れ＞
【００５９】
図１６は本実施形態に係る文字入力装置における処理の流れを示すフロー図を例示する。
【００６０】
最初にキーボード等を介してユーザが文字を入力する（Ｓ１６０１）。すると入力した文字列に対する変換候補が出力される（Ｓ１６０２）。変換候補の中から、所望の候補を選択すると、変換結果が出力される（前変換確定）（Ｓ１６０３）。ここで、前変換確定が特定の条件を満たす文字列であるか判断される（Ｓ１６０４）。次に該特定の条件がスケジュール部に関するものであるか判断される（Ｓ１６０５）。ここでスケジュール部に関するものである場合、辞書部から取得する変換候補に、スケジュール部が有する情報文字列が追加・出力される（Ｓ１６０６）。スケジュール部に関するものではない場合、辞書部及びスケジュール部以外の情報ソースからの情報文字列が追加・出力される（Ｓ１６０７）。Ｓ１６０４において前変換確定が特定の条件を満たさない場合、辞書部から変換候補が取得され、出力される（Ｓ１６０８）。出力された変換候補の中から所望の候補を選択し、確定する（前変換確定）（Ｓ１６０９）。ここでの前変換確定も特定の条件を満たす文字列であるかどうか判断され、再びステップＳ１６０４からステップＳ１６０９の処理がなされる。前変換確定により一文が完成すると、処理は終了する。
＜実施形態４：効果＞
【００６１】
ユーザがスケジュールに関する文字列を入力した場合、用件や時間、場所、相手の名前などユーザに固有の変換候補が出力されるため、文章の作成が容易であり、利便性がよい。
＜＜実施形態５＞＞
＜実施形態５：概要＞
【００６２】
本実施形態は、前記実施形態１の変換候補保持部に、テレビ番組又は／及びラジオ番組に関する文字列を追加変換候補として追加することを特徴とする、前記実施形態１の文字入力装置を備えた電子機器について説明する。
＜実施形態５：構成＞
【００６３】
本実施形態にかかる電子機器の機能ブロック図を図１７に例示する。電子機器（１７００）は、「文字入力装置」（１７０９）を備え、「テレビラジオ番組管理部」（１７１０）を有する。文字入力装置（１７０９）は、「辞書部」（１７０１）と、「入力受付部」（１７０２）と、「変換候補保持部」（１７０３）と、「変換候補出力部」（１７０４）と、「選択受付部」（１７０５）と、「変換結果出力部」（１７０６）と、「条件保持部」（１７０７）と、「変換候補追加部」（１７０８）と、を有する。また、「変換候補追加部」（１７０８）は、「テレビラジオ手段」（１７１１）を有する。なお、「テレビラジオ番組管理部」（１７１０）と「テレビラジオ手段」（１７１１）以外の構成については前述したとおりであるので、ここでの説明は省略する。
【００６４】
「テレビラジオ番組管理部」（１７１０）は、番組に関する文字列情報を出力可能な機能を有する。番組とは、本実施形態の電子機器において視聴可能なコンテンツであればよく、テレビ番組であれば、地上放送、衛星放送、ケーブルテレビなどのコンテンツが該当し、またラジオ番組であれば、アナログ放送、デジタル放送などのコンテンツが該当する。携帯端末においては、ワンセグ放送なども該当する。図１８にＸＭＬ形式で記録されているテレビラジオ番組情報の一例を示す。かかる場合、「１２月１日」に視聴した番組を示す情報として、番組名「ＡＢＣニュース」や開始時刻「２１：００」、終了時刻「２２：００」、内容「ニュース」、チャンネル「１」などの文字列が「テレビラジオ番組管理部」（１７１０）によって出力される。
【００６５】
「テレビラジオ手段」（１７１１）は、テレビラジオ番組管理部からテレビ番組又は／及びラジオ番組に関する文字列を追加変換候補として変換候補保持部に追加する機能を有する。番組に関する文字列情報とは、本実施形態の電子機器を介して視聴したコンテンツに関する情報をいう。例えば、番組名や、開始時間、終了時間、チャンネル、周波数などが該当する。
【００６６】
テレビラジオ手段が動作するための、条件保持部（１７０７）が保持する前変換確定が満たすべき条件は、前記番組に関する文字列であること又はこれらの文字列を含む文字列であること、である。また、視聴を意味する文字列であること又はこれらの文字列を含む文字列であること、である。例えば、前者であれば、番組名「〇〇ニュースは」や、「チャンネルは」、「２１時は」、「ＦＭは」、などが該当する。後者であれば、「昨日見た」、「聴いた」などが該当する。
【００６７】
テレビラジオ手段が追加する追加変換候補リストの一例を図１９に示す。テレビ番組名「ニュース〇〇は」（１９０２）という前変換確定（１９０１）に対しては、放送日時である「火曜日」、「２１時」や「６チャンネル」などが追加変換候補（１９０３）となる。また、「昨日見た」（１９０４）という前変換確定（１９０１）に対しては、一日前に見た番組に関する文字列、「△△クイズ」、「１９時」などが追加変換候補（１９０５）となる。
＜実施形態５：ハードウェア上における処理の具体例＞
【００６８】
本実施形態に係る電子機器のハードウェア上の処理は、図５にて説明した処理と同様である。但し、外部インターフェース（０５０８）を介して取得される情報がテレビラジオ番組管理部（０５１３）からの情報を含むことを特徴とする。
＜実施形態５：処理の流れ＞
【００６９】
図２０は本実施形態に係る文字入力装置における処理の流れを示すフロー図を例示する。
【００７０】
最初にキーボード等を介してユーザが文字を入力する（Ｓ２００１）。すると入力した文字列に対する変換候補が出力される（Ｓ２００２）。変換候補の中から、所望の候補を選択すると、変換結果が出力される（前変換確定）（Ｓ２００３）。ここで、前変換確定が特定の条件を満たす文字列であるか判断される（Ｓ２００４）。該条件を満たす文字列である場合、次に該特定の条件がテレビラジオ番組管理部に関するものであるか判断される（Ｓ２００５）。ここでテレビラジオ番組管理部に関するものである場合、辞書部から取得する変換候補に、テレビラジオ番組管理部が有する情報文字列が追加・出力される（Ｓ２００６）。テレビラジオ番組管理部に関するものではない場合、辞書部及び置情報取得部以外の情報ソースからの情報文字列が追加・出力される（Ｓ２００７）。Ｓ２００４において前変換確定が特定の条件を満たさない場合、辞書部から変換候補が取得され、出力される（Ｓ２００８）。出力された変換候補の中から所望の候補を選択し、確定する（前変換確定）（Ｓ２００９）。ここでの前変換確定も特定の条件を満たす文字列であるかどうか判断され、再びステップＳ２００４からステップＳ２００９の処理がなされる。前変換確定により一文が完成すると、処理は終了する。
＜実施形態５：効果＞
【００７１】
ユーザがテレビラジオ番組に関する文字列を入力した場合、ユーザが視聴した固有の番組情報が変換候補として出力されるため、文章の作成が容易となり利便性がよい。
＜＜実施形態６＞＞
＜実施形態６：概要＞
【００７２】
本実施形態は、前記実施形態１の変換候補保持部に、ＡＶコンテンツに関する文字列を追加変換候補として追加することを特徴とする、前記実施形態１の文字入力装置を備えた電子機器について説明する。
＜実施形態６：構成＞
【００７３】
本実施形態にかかる電子機器の機能ブロック図を図２１に例示する。電子機器（２１００）は、「文字入力装置」（２１０９）を備え、「ＡＶコンテンツ管理部」（２１１０）を有する。文字入力装置（２１０９）は、「辞書部」（２１０１）と、「入力受付部」（２１０２）と、「変換候補保持部」（２１０３）と、「変換候補出力部」（２１０４）と、「選択受付部」（２１０５）と、「変換結果出力部」（２１０６）と、「条件保持部」（２１０７）と、「変換候補追加部」（２１０８）と、を有する。また、「変換候補追加部」（２１０８）は、「ＡＶコンテンツ手段」（２１１１）を有する。なお、「ＡＶコンテンツ管理部」（２１１０）と「ＡＶコンテンツ手段」（２１１１）以外の構成については前述したとおりであるので、ここでの説明は省略する。
【００７４】
「ＡＶコンテンツ管理部」（２１１０）は、ＡＶコンテンツ再生機能に付随しており、音楽や映画などＡＶコンテンツに関する文字列情報を出力可能な機能を有する。ＡＶコンテンツ再生機能とは、例えば、音楽や動画をダウンロードし再生する機能などをいう。ＡＶコンテンツに関する文字列情報とは、過去にダウンロードし、またＡＶコンテンツ再生機能が再生したコンテンツに関する情報をいう。例えば、楽曲名や映画のタイトル、コンテンツの容量、再生時間、再生回数、再生日時などが該当する。図２２にＸＭＬ形式で記録されているＡＶコンテンツ情報の一例を示す。かかる場合、楽曲「イエスタデイ」を示す情報として、アーティスト名「カブトムシ」や再生時間「５分３０秒」、容量「５．２Ｍ」や再生日時などの文字列が「ＡＶコンテンツ管理部」（２１１０）によって出力される。
【００７５】
「ＡＶコンテンツ手段」（２１１１）は、ＡＶコンテンツ管理部からＡＶコンテンツに関する文字列を追加変換候補として変換候補保持部に追加する機能を有する。該ＡＶコンテンツ手段を動作するための、条件保持部（２１０７）が保持する前変換確定が満たすべき条件は、ＡＶコンテンツに関する文字列であることや、これらの文字列を含む文字列であること、である。また、再生や視聴を意味する文字列であること又はこれらの文字列を含む文字列であること、である。例えば、前者であれば、「曲は」、「音楽は」、「主演は」や、ＡＶコンテンツ名、歌手名、出演者名、監督名などが該当する。後者であれば、「ダウンロードした」、「聞いた」などが該当する。また、「お薦めは」、「お気に入りは」、「主演は」、などを含むように構成していてもよい。
【００７６】
ＡＶコンテンツ手段が追加する追加変換候補リストの一例を図２３に示す。「曲は」（２３０２）という前変換確定（２３０１）に対しては、「子犬のワルツ」、「ショパン」や「５分３０秒」などが追加変換候補（２３０３）となる。また、「昨日見た」（２３０４）という前変換確定（２３０１）に対しては、一日前に見た番組に関する文字列、「チョップリン」、「独裁者」（２３０５）などが追加変換候補（２３０５）となる。
＜実施形態６：ハードウェア上における処理の具体例＞
【００７７】
本実施形態に係る電子機器のハードウェア上の処理は、図５にて説明した処理と同様である。但し、外部インターフェース（０５０８）を介して取得される情報がＡＶコンテンツ管理部（０５１４）からの情報を含むことを特徴とする。
＜実施形態６：処理の流れ＞
【００７８】
図２４は本実施形態に係る文字入力装置における処理の流れを示すフロー図を例示する。
【００７９】
最初にキーボード等を介してユーザが文字を入力する（Ｓ２４０１）。すると入力した文字列に対する変換候補が出力される（Ｓ２４０２）。変換候補の中から、所望の候補を選択すると、変換結果が出力される（前変換確定）（Ｓ２４０３）。ここで、前変換確定が特定の条件を満たす文字列であるか判断される（Ｓ２４０４）。該条件を満たす文字列である場合、次に該特定の条件がＡＶコンテンツ管理部に関するものであるか判断される（Ｓ２４０５）。ここでＡＶコンテンツ管理部に関するものである場合、辞書部から取得する変換候補に、ＡＶコンテンツ管理部が有する情報文字列が追加・出力される（Ｓ２４０６）。ＡＶコンテンツ管理部に関するものではない場合、辞書部及びＡＶコンテンツ管理部以外の情報ソースからの情報文字列が追加・出力される（Ｓ２４０７）。Ｓ２４０４において前変換確定が特定の条件を満たさない場合、辞書部から変換候補が取得され、出力される（Ｓ２４０８）。出力された変換候補の中から所望の候補を選択し、確定する（前変換確定）（Ｓ２４０９）。ここでの前変換確定も特定の条件を満たす文字列であるかどうか判断され、再びステップＳ２４０４からステップＳ２４０９の処理がなされる。前変換確定により一文が完成すると、処理は終了する。
＜実施形態６：効果＞
【００８０】
ユーザがＡＶコンテンツに関する文字列を入力した場合、ユーザが利用した固有のＡＶコンテンツ情報が変換候補として出力されるため、文章の作成が容易となり利便性がよい。
＜＜実施形態７＞＞
＜実施形態７：概要＞
【００８１】
本実施形態は、前記実施形態１の変換候補保持部に、アドレス情報に関する文字列を追加変換候補として追加することを特徴とする、前記実施形態１の文字入力装置を備えた電子機器について説明する。
＜実施形態７：構成＞
【００８２】
本実施形態にかかる電子機器の機能ブロック図を図２５に例示する。電子機器（２５００）は、「文字入力装置」（２５０９）を備え、「アドレス情報管理部」（２５１０）を有する。文字入力装置（２５０９）は、「辞書部」（２５０１）と、「入力受付部」（２５０２）と、「変換候補保持部」（２５０３）と、「変換候補出力部」（２５０４）と、「選択受付部」（２５０５）と、「変換結果出力部」（２５０６）と、「条件保持部」（２５０７）と、「変換候補追加部」（２５０８）と、を有する。また、「変換候補追加部」（２５０８）は、「アドレス手段」（２５１１）を有する。なお、「アドレス情報管理部」（２５１０）と「アドレス手段」（２５１１）以外の構成については前述したとおりであるので、ここでの説明は省略する。
【００８３】
「アドレス情報管理部」（２５１０）は、通信機能に付随しており、通信相手のアドレス情報を示す文字列情報を出力可能な機能を有する。通信機能とは、有線又は無線を問わず、電気通信回線を利用した通信機能をいう。通信相手とは、過去に通信した履歴のある通信相手のことをいう。該通信相手のアドレス情報が、本実施形態の電子機器が備える例えばアドレス張機能に、記録されているかどうかは特に限定しない。アドレス情報を示す文字列情報とは、例えば、電話番号やＦＡＸ番号、電子メールアドレスなど、が該当する。また、通信相手の名前や、通信日時などを含めてもよい。図２６にＸＭＬ形式で記録されているアドレス情報の一例を示す。かかる場合、「山田太郎」についての情報として、電話番号やメールアドレス、通話情報、メール情報などの文字列が「アドレス情報管理部」（２５１０）によって出力される。
【００８４】
「アドレス手段」（２５１１）は、アドレス情報管理部からアドレス情報を示す文字列を追加変換候補として変換候補保持部に追加する機能を有する。該アドレス手段を動作するための、条件保持部（２５０７）が保持する前変換確定が満たすべき条件は、前記アドレス情報を示す文字列であること、又はこれらの文字列を含む文字列であること、である。例えば、「メアド（メールアドレス）」、「山田」、「昨日」、「電話」、「着信」などが該当する。
【００８５】
アドレス手段が追加する追加変換候補リストの一例を図２７に示す。「着信が」（２７０２）という前変換確定（２７０１）に対しては、着信履歴から「１１月３日」、「１１時」、「山田太郎」（２７０３）などが追加変換候補となる。また、「佐藤さんが」（２７０４）という前変換確定（２７０１）に対しては、「１１月４日」、「１０時」、「メール」（２７０５）などが追加変換候補となる。
＜実施形態７：ハードウェア上における処理の具体例＞
【００８６】
本実施形態に係る電子機器のハードウェア上の処理は、図５にて説明した処理と同様である。但し、外部インターフェース（０５０８）を介して取得される情報がアドレス情報管理部（０５１５）からの情報を含むことを特徴とする。
＜実施形態７：処理の流れ＞
【００８７】
図２８は本実施形態に係る文字入力装置における処理の流れを示すフロー図を例示する。
【００８８】
最初にキーボード等を介してユーザが文字を入力する（Ｓ２８０１）。すると入力した文字列に対する変換候補が出力される（Ｓ２８０２）。変換候補の中から、所望の候補を選択すると、変換結果が出力される（前変換確定）（Ｓ２８０３）。ここで、前変換確定が特定の条件を満たす文字列であるか判断される（Ｓ２８０４）。該条件を満たす文字列である場合、次に該特定の条件がアドレス情報管理部に関するものであるか判断される（Ｓ２８０５）。ここでアドレス情報管理部に関するものである場合、辞書部から取得する変換候補に、アドレス情報管理部が有する情報文字列が追加・出力される（Ｓ２８０６）。アドレス情報管理部に関するものではない場合、辞書部及びアドレス情報管理部以外の情報ソースからの情報文字列が追加・出力される（Ｓ２８０７）。Ｓ２８０４において前変換確定が特定の条件を満たさない場合、辞書部から変換候補が取得され、出力される（Ｓ２８０８）。出力された変換候補の中から所望の候補を選択し、確定する（前変換確定）（Ｓ２８０９）。ここでの前変換確定も特定の条件を満たす文字列であるかどうか判断され、再びステップＳ２８０４からステップＳ２８０９の処理がなされる。前変換確定により一文が完成すると、処理は終了する。
＜実施形態７：効果＞
【００８９】
ユーザがアドレス情報に関する文字列を入力した場合、ユーザの通信履歴やアドレス張の記録情報が変換候補として出力されるため、文章の作成が容易となり利便性がよい。
【図面の簡単な説明】
【００９０】
【図１】本発明に係る文字入力装置の概念図
【図２】実施形態１に係る文字入力装置の機能ブロック図
【図３】変換候補出力機能の概念図
【図４】追加変換候補の概念図
【図５】文字入力装置のハードウェア上における処理動作の一例図
【図６】実施形態１に係る文字入力装置の処理の流れを示すフロー図
【図７】実施形態２に係る文字入力装置の機能ブロック図
【図８】実施形態２に係る追加変換候補の一例図
【図９】実施形態２に係る文字入力装置の処理の流れを示すフロー図
【図１０】実施形態３に係る文字入力装置の機能ブロック図
【図１１】実施形態３に係る追加変換候補の一例図
【図１２】実施形態３に係る文字入力装置の処理の流れを示すフロー図
【図１３】実施形態４に係る文字入力装置の機能ブロック図
【図１４】スケジュール部に記録されたスケジュール情報の一例図
【図１５】実施形態４に係る追加変換候補の一例図
【図１６】実施形態４に係る文字入力装置の処理の流れを示すフロー図
【図１７】実施形態５に係る文字入力装置の機能ブロック図
【図１８】テレビラジオ番組管理部に記録された番組情報の一例図
【図１９】実施形態５に係る追加変換候補の一例図
【図２０】実施形態５に係る文字入力装置の処理の流れを示すフロー図
【図２１】実施形態６に係る文字入力装置の機能ブロック図
【図２２】ＡＶコンテンツ管理部に記録されたＡＶコンテンツ情報の一例図
【図２３】実施形態６に係る追加変換候補の一例図
【図２４】実施形態６に係る文字入力装置の処理の流れを示すフロー図
【図２５】実施形態７に係る文字入力装置の機能ブロック図
【図２６】アドレス情報管理部に記録されたアドレス情報の一例図
【図２７】実施形態７に係る追加変換候補の一例図
【図２８】実施形態７に係る文字入力装置の処理の流れを示すフロー図
【図１】
2009129205.tif 000003
【図２】
2009129205.tif 000004
【図３】
2009129205.tif 000005
【図４】
2009129205.tif 000006
【図５】
2009129205.tif 000007
【図６】
2009129205.tif 000008
【図７】
2009129205.tif 000009
【図８】
2009129205.tif 000010
【図９】
2009129205.tif 000011
【図１０】
2009129205.tif 000012
【図１１】
2009129205.tif 000013
【図１２】
2009129205.tif 000014
【図１３】
2009129205.tif 000015
【図１４】
2009129205.tif 000016
【図１５】
2009129205.tif 000017
【図１６】
2009129205.tif 000018
【図１７】
2009129205.tif 000019
【図１８】
2009129205.tif 000020
【図１９】
2009129205.tif 000021
【図２０】
2009129205.tif 000022
【図２１】
2009129205.tif 000023
【図２２】
2009129205.tif 000024
【図２３】
2009129205.tif 000025
【図２４】
2009129205.tif 000026
【図２５】
2009129205.tif 000027
【図２６】
2009129205.tif 000028
【図２７】
2009129205.tif 000029
【図２８】
2009129205.tif 000030